(57)【要約】【課題】従来の動物型走行玩具は、構造も複雑にして走行状態は左右に曲がるのみであるため、上下左右に変則的に動きながら、且つ、グルグル円形状にも走り回ることもできる変則型走行玩具を提供する。【解決手段】車体は後部基台２と前部基台８とに分離するものとし、その一方の後部基台２に設けた駆動装置３を介在した車軸４端部に車輪５を取り付け、他方側の前部基台８に取り付けた車軸４には、車輪５の中心部１０よりずらして車軸４に取り付けて成る車体を形成し、その車体上部に縫いぐるみ型の外装体１６を取り付ける構成とする。【選択図】図１
0003136336.tif 000002
【実用新案登録請求の範囲】
【請求項１】
車体と外装体がユニット式に組み合わせできる走行玩具であって、車体は後部基台と前部基台とに分離し、且つ、シャフトで可動連結するものとし、その一方の後部基台に設けた駆動装置を介在して成る車軸端部に車輪を取り付け、他方側の前部基台に取り付けた車軸には、車輪の中心部よりずらして車軸に取り付けて成る車体を形成し、その車体上部に外装体を取り付けて成る構成を特徴とする変則型走行玩具。
【請求項２】
前記する駆動装置側の車軸に取り付ける車輪が、中心部よりずらして取り付けて成る請求項１に記載する変則型走行玩具。
【請求項３】
車体と外装体がユニット式に組み合わせできる走行玩具であって、一枚の基台の後部に駆動装置を介在した車軸の左右に凹部を形成した端部に車輪を取り付けるとともに、基台前部の中央に回動軸部を設け、その回転軸部左右に延長する車軸を固着して成る端部に回転自在に車輪を取り付けて成る車軸と、前記する凹部とを作動棒で連結して成る車体の上部に外装体を取り付けて成る構成を特徴とする変則型走行玩具。
【請求項４】
前記する基台の前後が分離して、可動シャフトで連結して成る請求項３に記載する変則型走行玩具。
【請求項５】
前記する車輪の側面形状が多角形である請求項１又は請求項２又は請求項３に記載する変則型走行玩具。
【考案の詳細な説明】
【技術分野】
【０００１】  本考案は、外装が動物や自動車の形態を成す走行玩具が、簡易な構成でありながら走行時に上下左右に揺れたりジグザグ走行するとともに、且つ、多様な外装体をユニット式に取り替えられることにより、変則的な面白さと意外な動きを得られることで、子供はもとより大人でも楽しめる走行玩具に関する。
【背景技術】
【０００２】  従来より、走行玩具には自動車型や動物型など様々な物がある。その中において、動物型意匠を成す走行玩具の内部に光感知手段を有し、その光感知手段により作動する駆動装置によって、走行方向をランダムに変えられる走行玩具の技術がある。（例えば、特許文献１参照）
【特許文献１】実用新案登録第３０７１７７０号公報
【考案が解決しようとする課題】
【０００３】  前記する実用新案登録第３０７１７７０号公報による技術は、動物や乗り物等の意匠的形態を備え、且つ、内部に光感知手段を設け、その光感知手段により外部から光による発信、停止をコントロールできる駆動装置を備えるとともに、その駆動装置は、走行方向をランダムに変えることができるランダム走行駆動装置を有する走行玩具を構成することで、外部から発信、停止を光でコントロールできるとともに、ランダムな走行による楽しさや遊びができる走行玩具である。
【０００４】  しかし、上記する技術はモーターや光感知手段を必要とするうえ、ランダム走行駆動装置を備えなければならないため、複雑となりコスト高要因となる玩具である。また感知手段に光を当てるには本体上面に設けた穴から当てて操作しなければならないため、幼児や子供は操作が難しく容易ではない。
【０００５】  加えて、ランダム走行駆動装置により物に当たれば左右いずれかに向きを変えられるが、上下左右に動いたり揺れたり、予想できない変速的な動きによる走行は構造的に無理であり、動きも単調で面白さもそれほど高い走行玩具ではない。また外観意匠が動物様であっても合成樹脂製であるため、縫いぐる様に毛皮の形態を成さないので肌触りが悪い玩具であった。
【課題を解決するための手段】
【０００６】  本考案は、上記する従来の技術の不便や欠点を解消するために成されたものであり、請求項１においては、車体は後部基台と前部基台に分離して可動シャフト連結するものとし、その後部基台に設けた駆動装置を介在した車軸端部に車輪を取り付け、他方側の基台に取り付けた車軸には、車輪の中心部よりずらして取り付けて成る車体を形成し、その車体上部に縫いぐるみ型の外装体を取り付けることにより、縫いぐるみ型の車体は左右に傾くように揺れならが変則走行できるものとする。
【０００７】  請求項２においては、前記する駆動装置側の車軸に取り付ける車輪が、中心部よりずらして取り付けることにより、前後輪いずれも左右に傾きながら走行できるようにする。
【０００８】  請求項３においては、一枚の基台の後部に駆動装置を介在した車軸を取り付けた左右に凹部を形成した端部に車輪を取り付けるとともに、基台前部に回転軸部を設け、その回転軸部に、左右に延長する車軸を固着して成る端部に車輪を回転自在に取り付けた車軸と、前記する凹部を作動棒で連結した車体の上部に外装体を取り付けることで、後輪の回転に連動して前輪が左右に振れながらジグザグ走行できるものとする。
【０００９】  請求項４においては、前記する基台の前後が分離して可動シャフトで連結することで、その車体上部に位置する外装体も揺れ易くする。
【００１０】  請求項５においては、前記する請求項１又は請求項２又は請求項３における車輪の側面形状が多角形の車輪を採用することで、さらに変則的にしてランダムに走行できるようにする。
【考案の効果】
【００１１】  本考案の第１実施形態による走行玩具は、後部基台の車軸は車輪の中心部に取り付けられているが、前部基台の車輪は、中心部よりずらした位置に車軸が取り付けられた偏軸であるため、走行させると左右に傾きながら走行する。加えて、前部基台に取り付けられた支持棒も、その上部に位置する縫いぐるみ型の外装体下部を押し上げるように動くとともに、車輪カバーも備えているため、毛足の長い縫いぐるみでも車輪に毛が巻き込まれるのを防ぐことができる。また、車体カバーの下部には、後部基台の箱体にピッタリ嵌る係合板を設けるとともに、その車体カバーに好みの外装体をユニット式に組み合わせられる、従来には見られない変則型走行玩具を提供する。
【００１２】  加えて、第２実施形態による走行玩具は、前後輪とも車輪の中心に車軸が取り付けられているが、後部の車軸には凹部を設けるとともに、前部の車輪は回転軸部に固着した車軸に取り付け、その車軸と前記凹部とを作動棒で連結した構成であるため、後輪の回転に連動して前輪が左右に揺れながら走行させることができる。さらに車輪の側面形状が多角形のものを採用した場合は、第１実施形態タイプはもとより第２実施形態いずれもさらに変則的にして予想しない走行玩具となるので、子供はもとより大人も楽しめるとともに、外装体は好みのタイプをユニット式に組み合わせられる走行玩具である。
【考案を実施するための最良の形態】
【００１３】  本校案による走行玩具の第１の実施形態を、図１に示す分解斜視図と図２に示す前輪の側面図及び図３に示す前輪の正面図、図４に示す外装体を組み合わせた後輪側縦断面図で説明する。
第１実施形態に示す走行玩具１は、前部と後部が分離したタイプとし、箱状の後部基台２内部に駆動装置３を位置し、その駆動装置３に連結して回転自在とする車軸４左右に車輪５，５を取り付けるとともに、電池ケース６を配置した前部に軸部７を設けた後部基台２を形成する。次に、板状の前部基台８に軸管９を取り付け、その軸管９に回転自在に車軸４を納めて成る左右に、車輪５，５の中心部１０からずらし、且つ、左右交互になるように車輪５，５を取り付けた前記軸管９に、上方に延長する支持棒１１，１１を取り付けた後部に軸部７を設けた前部基台８を形成し、その前部基台８の軸部７と、前記した後部基台２の軸部７とを、シャフト１２で可動連結して成る車体を形成し、その車体上部に、左右に車輪カバー１３，１３を備え、且つ、前部を切り欠き、後部には前記した後部基台２の箱体に嵌る係合板１４付き車体カバー１５を組み合わせて成る上面に、動物の縫いぐるみ様の外装体１６を取り付けて成る走行玩具１を構成する。【００１４】  第１実施形態による走行玩具１は、駆動装置３と電池ケース６納めた後部基台２に車輪５の中心に車軸４を取り付けているが、その前に位置する前部基台８の車輪５は、図２に示すように車輪５の中心部１０よりずらし、且つ、左右交互になるように車軸４に取り付けた前部基台８と後部基台２をシャフト１２で可動連結しているので、走行させると図３に示すように左右に傾きながら走るとともに、その上部に突き出ている支持棒１１，１１は、車体カバー１５の切り欠き部で縫いぐるみ型外装体１６下部を押し上げるように上下に動く。さらに後部基台２に重ねた車体カバー１５の係合板１４は箱体の後部基台２に確りと嵌まって取り付けられるとともに、左右には車輪カバー１３を備えているので、例えば、その上部に毛足の長い縫いぐるみ様の外装体１６を取り付けた場合でも、毛が車輪５に巻き込まれることも無くスムーズに走行できる。また、実施形態においては、３連タイプであるが、その前後いずれかに、さらに前部基台８と同様の基台をシャフト１２で１つ又は２つ連結してもよい。【００１５】  以上のような構成であるため、車体カバー１５を備えた車体を基本とし、その上部に取り付ける外装体１６を動物の縫いぐるみ型、自動車型、他の形態を成す外装体１６とをユニット方式で組み合わせられる走行玩具１を構成できる。尚、外装体１６が車型や長い毛が無いタイプの場合は車輪カバー１３は無くてもよい。また前部基台８の車軸４は、左右が中心部１０よりずれた扁車軸であるが、後部基台２の車軸５も同様にずらしたタイプを採用してもよい。【００１６】  第２実施形態による走行玩具を、図５に示す平面図で説明する。
第２実施形態による走行玩具１は、基台１７は一枚板状とし、その上部に取り付ける車体カバー１５と外装体１６は省略して図示しない。まず車体は、基台１７後部に設けた箱体１８の内部に電池ケース６と駆動装置３を位置するとともに、その駆動装置３を介在した車軸４を回転自在に取り付けた端部に、左右交互に凹部１９を設けた車軸４に車輪５，５を取り付ける。次に、基台１７前部の中央部には回転軸部２０を取り付けるとともに、その回転軸部２０に左右に延長する車軸４を固着した両端部に車輪５，５を回転自在に取り付けて成る車軸４と、前記した後部の車軸４の凹部１９とを、作動棒２１でクランク状に連結形成して成る車体を構成する。【００１７】  以上のように形成した車体の上面には、前記第１実施形態同様に、係合板１４付き車体カバー１５が取り付けられるが、第１実施形態のように前部を欠く必要はなく、その上に車状の外装体１６を採用した場合は車輪カバー１３は不要である。【００１８】  第２実施形態による走行玩具１は、後部の車輪５は凹部１９付き車軸４に取り付けられ、その凹部１９と前側の車輪５は回転軸部２０に固着された車軸４とが、クランク状に作動棒２１で連結されているので、後部の車輪５が回転するに連動して、前部の車輪５は左右に向きを変えてジグザグ走行する。尚、本実施形態における基台１７は一枚板状であるが、前記第１実施形態のように中ほどが分離してシャフト連結する方式でも差し支えない。また、作動棒２１は両側を連結しているが片側のみでもよい。【００１９】  さらに上記する第１実施形態及び第２実施形態に示す車輪５の側面形状は、いずれも円形であるが、車輪５の他の実施形態として図６に示すような多角形でもよく、この場合は、走行時に各辺ごとにガタガタと上下しながら走行する。【００２０】  本考案による走行玩具１は以上のような実施形態を成すが、第１実施形態における前部基台８の支持棒１１は、上部の外装体１６を支え、且つ、突き動かすものであるが、箱体でも構わない。また外装体１６が車などの場合は、直接外装体１６の内側に係合板１４を取り付けてもよい。尚、電池ケース６の出し入れは図示しないが底面側に設けるのが好ましいがどこでもよく、いずれも特に限定するものではない。
【図面の簡単な説明】
【００２１】
【図１】本考案による走行玩具の第１の実施形態を示す分解斜視図である。
【図２】第１の実施形態の前部基台の車輪と車軸を示す拡大側面図である。
【図３】第１の実施形態の前部基台を示す拡大正面図である。
【図４】第１の実施形態の、外装体を取り付けた状態を示す後部基台の拡大縦断面図である。
【図５】第２実施形態の走行玩具の車体を示す平面図である。
【図６】車輪の他の実施形態を示す側面図である。
【符号の説明】
【００２２】１  走行玩具
２  後部基台
３  駆動装置
４  車軸
５  車輪
６  電池ケース
７  軸部
８  後部基台
９  軸管
１０  中心部
１１  支持棒
１２  シャフト
１３  車輪カバー
１４  係合板
１５  車体カバー
１６  外装体
１７  基台
１８  箱体
１９  凹部
２０  回転軸部
２１  作動棒
【図１】
0003136336.tif 000003
【図２】
0003136336.tif 000004
【図３】
0003136336.tif 000005
【図４】
0003136336.tif 000006
【図５】
0003136336.tif 000007
【図６】
0003136336.tif 000008